(57)【要約】 【課題】大きなクリスマスツリーや雪だるまなどの大型造形を家庭で簡単に作れ、費用も廉価で、収納しやすいようにできるものはなく、また、量産できる商品としても存在していない。そして、商品を製品化するにあたっても、同じ図面で試作と本製品を、同じ手順で製造・組み立てることができるような手法もない。【解決手段】面と厚さのある外側・内側・上端・下端・支持接合部分を有した「面フレーム」複数と、１つ以上の「面フレーム接合部品」とで、フレームを形成することにより、一定の造形物と認識できるフレーム造形物となる。これにより造形物制作が簡単に短工数・短時間でできるようになり、施工もフレームごと行えることから施工場所の狭さや作業時間などの制約にも柔軟に対応できるようになった。そして、材質や厚さの異なる面フレームを混在させフレームを組み上げることで、様々な要件に対して対処でき、商品化もしやすくなった。【選択図】 図２
2019158139.tif 000002
【特許請求の範囲】
【請求項１】
複数の面フレームと：
前記面フレームを支持し、互いを接合するための面フレーム接合部品と：
を備えるフレーム造形物であって：
前記面フレームは、面と厚さのある外側・内側・上端・下端・支持接合部分を有し：
前記面フレーム接合部品は、中心部分に位置するベース部と、ベース部の外周に配置された、複数の取り付け部とを備え：
前記面フレームの内側を面フレーム接合部品のベース部に対向させて配置し：
前記面フレームの内側にある支持接合部分と前記面フレーム接合部品の取り付け部とを接合してなる：
フレーム造形物。
【請求項２】
前記フレーム造形物において、全長は、面フレームの上端と下端の材長により決まるが、より長くしたい場合には、複数の面フレームを上下にずらし：
ずらした面フレームの上下両端に、面フレーム接合部品を配し接合し：
必要な長さになるまで繰り返すことで：
全長を長くできる特徴を有する：
請求項１に記載のフレーム造形物。
【請求項３】
前記フレーム造形物の上端、下端、もしくは両端に、連結部品を取り付け:
連結部品どうしを連結させることで：
フレーム造形物を組み合わせることができることを特徴とする：
請求項１に記載のフレーム造形物。
【発明の詳細な説明】
【技術分野】
【０００１】
本発明は、複数の面フレームと１個以上の面フレーム接合部品によってフレーム造形物が形成され、その面フレームの形状により造形物となる特徴を有するものである。
【背景技術】
【０００２】
クリスマスのコマーシャルでは、大きなクリスマスツリーがあり、イルミネーションが点滅し、その根元には大きなプレゼントの箱があって、雪だるまなどの大きなキャラクター造形も置かれているが、日本の家庭では、購入金額が高額になるだけでなく、飾る場所や収納などの面からも、見かけない風景である。実際に購入されているビニール等で作成されたクリスマスツリーなどでも、大きなものだと収納時には、枝や葉が膨らみ、購入時付属の段ボール箱に入りきれなかったり、プラスチック等で作成されたキャラクターは置き場所のスペースを多く使用したりして、どちらも格納に困る。
【０００３】
青森ねぶたは、立体の造形を作るために、多くの時間を掛けて、角材で支柱を作り、針金や糸を使用して、骨組みを作り、それに奉書紙を張って作っている。
【０００４】
また、子供の大きさを超える大型のキャラクターなどを作るには、繊維強化プラスチック（ＦＲＰ）などを利用して作っていて、骨組みでは無く、型を用いて作るなどしているため、専門家でないと作れなかったり、製作時間も多くの時間を費やしたりしている。
【０００５】
そして、手軽にできそうな段ボールアートも人気を博しているが、見栄えするものになると、高度なテクニックや技術が必要であり、量産できるような物ではない。
【０００６】
これらは、専門家に委託するのがほとんどであり、手間も時間もかかり、クリスマスなどでの大型のキャラクターを家族で短時間に作り楽しみたいと思っていても、現状では、簡単・短工数・短時間にできる造形製品はなく、中型のものを高額で購入するしかない。
【０００７】
本発明の面フレームの材質に集成材などの木材を使用すると、柱や梁なども形成することができることになるが、そのような利用方法は存在していない。さらに、カーボンやセルロースナノファイバーなどの新素材での建築資材利用が開発されてきているが、高価であるため、杉材など安い材料と混用することで、柱や梁を廉価に制作できる手法もない。
【０００８】
また、柱の強度を求めるだけでなく、柔軟にしたり、組み合わせにより見た目を変化させたり、分解して搬入できない場所に大きな造形物を組み上げたり、事前に作って現地での制作時間を短縮したり、大型の造形物を組み上げたりするなど、これらの組み合わせによる施工手法を具現化できるものもない。
【０００９】
段ボールなどで試作した椅子の造形の型紙をそのまま使用して、マホガニー板などの「実製品に使用する部材」をカットするといった製造工程は少なく、試作と本製品の作成図面は異なっているのが一般的で、段ボールと木材であれば製造方法も異なるのが普通であり、さらに同じ手順で組み立てることなどもない。
【００１０】
従来のフレームとして、建築のラーメン構造や木造軸組構法での、柱や梁や、青森ねぶたなどに見られる支柱による、骨組みや、繊維強化プラスチック（ＦＲＰ）などや自動車になどにみられる、モノコック構造、自動車・トラックなどにみられるラダーフレームなどの、曲線を持った棒状支柱によるものなどがあげられる。ただ、フレームが組みあがった時点で造形となるものは少ない。
【先行技術文献】
【非特許文献】
【００１１】
【非特許文献１】上田  篤編、「五重塔はなぜ倒れないか」、新潮社版、１９９６年２月２０日発行、第１８７頁から第１９８頁
【発明の概要】
【発明が解決しようとする課題】
【００１２】
大きなクリスマスツリーなどの大型造形を家庭で簡単に作れ、費用も廉価で、収納しやすいようにする。
【００１３】
青森ねぶたのような大きな立体の造形も、簡単に作れるようにする。
【００１４】
子供の大きさを超える大型のキャラクターも、簡単に作れるようにする。
【００１５】
クリスマスツリーやキャラクターなどの商品を量産できるようにする。
【００１６】
クリスマスツリーや大型のキャラクターを簡単・短工数・短時間で作り楽しめるように、造形物制作を単純化（簡単・短工数・短時間）し、さらに単純化するために、キット製品なども製品化できるようにする。
【００１７】
面フレームの材質に集成材・新素材など、組み合わせにより多様な柱や梁など形成できるようにし、また、柱の強度を求めるだけでなく、柔軟にしたり、組み合わせにより見た目を変化させたり、分解して搬入できない場所に大きな造形物を組み上げたり、事前に作って現地での制作時間を短縮したり、大型の造形物を組み上げたりなど、これら組み合わせの施工手法を具現化する。
【００１８】
同じ図面により試作と本製品を制作できるようにし、さらに同じ手順で組み立てることができるようにする。
【００１９】
フレーム造形物が組みあがった時点で造形となるものを確立する。
【課題を解決するための手段】
【００２０】
複数の面フレームと：
前記面フレームを支持し、互いを接合するための面フレーム接合部品と：
を備えるフレーム造形物であって：
前記面フレームは、面と厚さのある外側・内側・上端・下端・支持接合部分を有し：
前記面フレーム接合部品は、中心部分に位置するベース部と、ベース部の外周に配置された、複数の取り付け部とを備え：
前記面フレームの内側を面フレーム接合部品のベース部に対向させて配置し：
前記面フレームの内側にある支持接合部分と前記面フレーム接合部品の取り付け部とを接合してなる：
フレーム造形物。
【００２１】
前記フレーム造形物において、全長は、面フレームの上端と下端の材長により決まるが、より長くしたい場合には、複数の面フレームを上下にずらし：
ずらした面フレームの上下両端に、面フレーム接合部品を配し接合し：
必要な長さになるまで繰り返すことで：
全長を長くできる特徴を有する：
請求項１に記載のフレーム造形物。
【００２２】
前記フレーム造形物の上端、下端、もしくは両端に、連結部品を取り付け:
連結部品どうしを連結させることで：
フレーム造形物を組み合わせることができることを特徴とする：
請求項１に記載のフレーム造形物。
【発明の効果】
【００２３】
フレーム造形物が組みあがった時点で、造形物のフレームとなったり、場合によっては造形物そのものとなったりするために、造形物制作を単純化（簡単・短工数・短時間）できる。
【００２４】
大きなクリスマスツリーなどの大型造形を家庭で簡単に作れ、費用も廉価で、収納しやすくなるので、今まで諦めていた家庭にも飾ることができ、創意工夫もできることから、新たなＤＩＹ（Ｄｏ  Ｉｔ  Ｙｏｕｒｓｅｌｆ：自分でやる工作・修理）の新しいジャンルができる。
【００２５】
大きなものから小さなものまで、造形物を作る作業の軽減や、狭い場所での展示、設置時間の短縮などが可能になるので、造形の利用範囲を広げることができる。入口が狭く搬入できない場所には、ばらした面フレームで搬入し現地でフレーム造形物を組み立てたり、現地での作業時間がないのであれば、事前に作り込んで搬入したり、大型の造形物でも単純化することで実現可能にしたりすることができる。
【００２６】
材質や厚さの異なる面フレームを混在させフレーム造形物を組み上げることで、強度を上げたり、柔軟にしたり、使い(座り)心地を変えたり、用途に合わせたコスト調整ができたり、同じ形状でも材質によってイメージを変化させたりすることができるようになる。キャラクターをＦＲＰで制作した場合も、フレームが無いことを除けば、フレーム造形物の定義に近似しているが、フレーム造形物は、雪だるまの腹だけ柔らかな面フレームにして安全を確保することなどがたやすくできる。ＦＲＰでもそこを切り取って別の素材を貼ることで処置できるが、フレーム造形物は、面フレームごとに特性を変えることができるので、様々な要件に対して、構造面と安全面とで対処できる。
【００２７】
試作から制作までの工程の共通化ができるので、工程やコスト、制作時間などの改善ができるようになる。
【００２８】
同様に、キット製品の組み立ても、模型、家具他で共通化できるので、購入者の労力軽減になる。これは、販売者側からもマニュアル・サポート等などでメリットがある。
【００２９】
カーボンやセルロースナノファイバーなどの新素材が開発されてきているが、面フレームでの混用で、多様な利用ができるようになる。
【図面の簡単な説明】
【００３０】
【図１】（Ａ）雪だるまの３Ｄ（３次元）画像見本と、（Ｂ）面フレーム９
【図２】（Ａ）図１の雪だるまのフレーム造形物作成例と、（Ｂ）フレーム造形物下端の拡大図（図では構造を見やすくするために手前の面フレーム９を３枚抜いてある）
【図３】板状での面フレーム
【図４】図２の雪だるまを例にした面フレーム（図２の雪だるまの面フレーム９の３枚を使用している。）
【図５】図２の雪だるまの面フレームの設計例（Ａ）設計図面、（Ｂ）下端の拡大図
【図６】面フレーム接合部品の設計例で、図７の２Ｄ図面の（Ａ）平面図と（Ｂ）正面図（面フレームとの接合を示す概略断面）、（説明のために面フレーム２枚を接合した）
【図７】面フレーム接合部品の作成例（設計図は、図６）
【図８】ボトルパッケージ作成例、（Ａ）ボトルパッケージのフレーム造形物と、（Ｂ）ボトルを入れてボトルパッケージとしたイメージ図、（Ｃ）面フレームの設計図面（図（Ａ）と（Ｂ）は、構造が見えるように手前２枚の面フレームを外してある）
【図９】（Ａ）心柱２６を用いた大型クリスマスツリー全体図と、（Ｂ）６段目フレーム造形物一番上に使用する連結部品兼用の面フレーム接合部品（１５ａ＋２７）、（Ｃ）５段目と６段目のフレーム造形物の拡大図、（Ｄ）心柱に使用する連結部品上端用１９、（Ｅ）面フレーム制作用切断図面（心柱２６が見えるように５段目のほとんどの面フレームを外し、左奥だけ残してある）
【図１０】全長を長くできる機能の利用例であり、（Ａ）組み上げ途中の全体図と、（Ｂ）継部分で点線丸部分の拡大図、（Ｃ）俯瞰の立体図で面フレームのセットを示している。（図（Ａ）と（Ｂ）は、面フレーム接合部品の配置が分かるように手前の面フレームを１セット外してある）
【図１１】図１０での全長６０００ｍｍのフレーム造形物の組み立て例で、組み立て順番を示した図（４０ａから順番に４０ｍまで、４０ａ：面フレーム３１、４０ｂ：面フレーム１２、４０ｅ：面フレーム１１も示している。１０ａ〜１０ｈは、面フレーム接合部品）
【図１２】ベース部に円筒状と棒状を組み合わせ、部品高を低くした面フレーム接合部品の作成例
【図１３】２本の円柱状のフレーム造形物を連結させた例であり、（Ａ）全体図１３と、（Ｂ）拡大図１４（下のフレーム造形物１３ａと上のフレーム造形物１３ｂ）で、（Ｃ）連結部品上端用１９と連結部品下端用２０
【図１４】（Ａ）図９の大型クリスマスツリーの２段目３７の全体図と、（Ｂ）連結部品兼用の面フレーム接合部品２７の拡大図（上端連結用２９は、下端連結用２８の部品の下から見た図）、（Ｃ）連結部品上端用３２と連結部品下端用３３との拡大図である。連結部品下端用３３の連結部分１２角の雌（凹）の部分３５について、断面図を示したが、中央の図は、この裏側の図面である。
【発明を実施するための形態】
【００３１】
以下本発明を、図１〜図１４の図面を用いて順次、詳細に説明する。
【００３２】
本発明は、フレームが組まれた時点で、一定の造形物と認識できるものであり、これをフレーム造形物と呼ぶ。従来は、骨組みを組んでから、外装により造形物が形成される手順を、フレーム造形物では、フレームが組まれた時点で、一定の造形物が形成されているので、外装の工数が減り、単純化（簡単・短工数・短時間）される。また、外装せずにそのまま使用する場合もある。
【００３３】
この発明によれば、複数の面フレームと１個以上の面フレーム接合部品とを接合させることで、フレーム造形物が形成できる。
【００３４】
面フレームについて説明する。
面フレームは、面と「厚さのある外側・内側・上端・下端・支持接合部分」を有しており、「複数の面フレームが連なった時に、造形物に見えるように切り取ったそれぞれの面フレーム」を使用し、要となる面フレーム接合部品で、その面フレームを支えることで、一定の造形物と認識できるようになる。そのためには、面フレームは板状とは限らず、部分ごとに厚さが異なる場合がある。面フレームを連ねたときに、外装がしやすい、もしくはそのまま見せたいなど、フレーム造形物の出来上がり形状に合わせて個々の面フレームは、それぞれ作られる。面フレームの中心線は、大方が内側の厚さの真ん中の位置と外側の厚さの真ん中の位置を結んだものが中心線となるが、先に述べたように、フレーム造形物の出来上がり形状に合わせて個々の面フレームは、作られるので、見た目と設計図面上の中心線が異なる時がある。面フレームの形状での部分名称は、「面と厚さのある外側・内側・上端・下端」であり、「厚さのある支持接合部分」は、面フレームの内側にある「面フレーム接合部品の取り付け部」が取り付けられる部分なので、機能を伴う名称である。
【００３５】
面フレームと面フレーム接合部品との位置関係について説明する。
「面フレームの内側を面フレーム接合部品のベース部に対向させて配置」している。このことは、複数枚のすべての面フレームの内側が、面フレーム接合部品に向いていて、且つ支えられているので、面フレーム接合部品を取り囲むように面フレームが配置され、結果的に、すべての面フレームの外側は、面フレーム接合部品を中心として、外を向いている。「対向」を明確にするには、面フレームの設計図面上の中心線を使用する。面フレームの上端が上向きで下端が下向きで、ベース部が円筒状で立っている場合には、ベース部に中心が存在し、面フレームの中心線が、ベース部の中心に至っている時、対向しているという。また、同様に、ベース部が、四角柱状で立っている場合、面フレームの中心線の面と、ベース部の側面とは、垂直になる。ただ、精密機械と違い造形物であり、精度によって特性の変化はなく問われないので「対向」とし、そのような位置関係になっていればよい。
【００３６】
面フレーム接合部品は、中心部分にベース部があり、その外周に、面フレームを支持する取り付け部を、複数配置する。ベース部に取り付け部を配置するにあたっては、「面フレームの内側を面フレーム接合部品のベース部に対向させて配置」できるように、取り付け部が設計されていなければならない。ベース部への取り付け部の配置設計は、面フレームの中心線をもとに設計するのが分かりやすいが、対向させて配置できれば良いので、取り付け部を中心に設計するなど、これに限ったことではない。
【００３７】
ここまでは、面フレームと面フレーム接合部品と、その位置関係について説明してきたが、実際に、これらを組み合わせフレーム造形物を組む場合には、面フレームの中心線は、支持接合部分の中心線と等しくなるようにし、それをもとに面フレーム接合部品の取り付け部も設計し、規格化し、このことを念頭に置いて設計すれば単純化できる。
【００３８】
接合は、「面フレームの内側の支持接合部分」と「面フレーム接合部品の取り付け部」とであり、これを接合する。具体的には、材質に合わせて両面テープや接着剤もしくはクリップ、結束バンド、ボルト・ナットなどの様々な材料や部品で接合することになり、例えば、結束バンドを使用する時は、「面フレームの支持接合部分」と「面フレーム接合部品の取り付け部」の両方に穴をあけて留めることになる。すべての接合が終わると、１個のフレーム造形物が組みあがったことになる。
【００３９】
補足として、「面フレーム接合部品の取り付け部」が「面フレームの支持接合部分」を挟み込む形状の場合には、取り付け部の幅と支持接合部分の厚さが合っている必要がある。接合は、説明のために最後に説明したが、作業のしやすさでは、面フレームを１枚ずつ、「面フレーム支持接合部分」と「面フレーム接合部品の取り付け部」とを接合していくことがしやすい。また、面フレームを「支持」、「支え」、「接合」という表現があり、あいまいな感じがするが、設計の時などの表現だったりするので、時間的な差があるが、フレームとしては接合が終わって初めて有効になる。
【００４０】
面フレームの部分名称について、板状の面フレーム図３を使用して説明する。
本発明では「前記面フレームは、面と厚さのある外側・内側・上端・下端・支持接合部分を有し：」となっていて、「前記面フレームの内側を面フレーム接合部品のベース部に対向させて配置し：」「面フレームの内側にある支持接合部分と前記面フレーム接合部品の取り付け部とを接合して」となっていることから、面フレームが面フレーム接合部品と接するのは、面フレーム支持接合部分しかない。そして、図３の「支持接合部分６」のあるところが内側２となる。その反対側が外側３であり、その下が下端４で、上が上端５となる。図３の板状に比べ、図４の雪だるまのような丸い形状では、名称は同じであるが、上端、下端などとの境が、はっきりしない。
【００４１】
本発明のフレーム造形物を具体的に説明する。
図１（Ａ）の雪だるまをモデルとして、フレーム造形物を作成する。先の説明での「複数の面フレームが連なった時に、造形物に見えるように切り取ったそれぞれの面フレーム」とは、図１（Ａ）に示した雪だるまの外形２５の「数字の３」に似た形状で切り取ったものとなる。この場合には、左右前後対称なので、外形２５から図１（Ｂ）の面フレーム９の１種類を作れればよいし、組まれた結果が、図２（Ａ）となり順次説明する。
【００４２】
図１（Ｂ）の面フレーム９の設計は、図１（Ａ）の外形２５を参照して２Ｄ設計により図５（Ａ）の面フレーム９の外側３の胴部分の半円と頭部分の半円を重ねた形状とした。フレームを組む時には、支持接合部分６の間に面フレーム接合部品のベース部７を入れることから、下端４、中間４ａ、上端５の支持接合部分６には、そのベース部７が入る図（Ｂ）のスペース２４をとっておく。そして、外側３の形状をもとに内側２の形状を決めるが、８ｍｍの段ボールを使用したいので、外側から３０ｍｍの幅をとって内側２の形状とした。これは、飾る前提の幅であり、子供達が触れるものにするのであれば、もっと幅を広くして強度を上げる。用途によって造形物の「造形に必要な強度の確保」は異なり、造形物が置かれる環境を検討して決めることになる。そして、図５（Ａ）により、面フレームは１２枚、面フレーム接合部品は、下端４、中間４ａ、上端５の３箇所で使用することに決定する。
【００４３】
面フレーム接合部品の製作は、図６（Ａ）平面図において、最初に面フレーム接合部品の中心にベース部７を置き、ベース部の形を決める。この図６では、円筒形にした。そこに取り付け部１２個を設ける。面フレームの厚さ部分の中心線を主体に設計するため、面フレームの中心線と１２等分するための中心線とが同じくなり、これらの中心は、ベース部の中心と同じである。取り付け部は、面フレームの厚さが８ｍｍなので（８ｍｍの段ボール）、中心線と平行に４ｍｍずらした位置（図６の黒のブロック矢印参照）をもとに取り付け部８ａを決めた。
【００４４】
また、面フレームの支持接合部分６が取り付け部の両側から挟み込まれているところは、ベース部７から１０ｍｍだけ（点線丸部分）で、それ以降の取り付け部は、支持接合部分６の片面だけが接する取り付け部８ａとなる。このことで、面フレームと面フレーム接合部品とを接合するときの、作業スペースが確保できる。この時点で、段ボールの面フレームの支持接合部分６と取り付け部８ａは、結束バンドで接合することにし、図７の取り付け部８ａと同じく、事前に穴をあける設計にする。図６の図面から、図７の３Ｄデーターを作成して、３Ｄプリンターにて材質ＰＬＡ（ポリ乳酸_汎用プラスチック）を使用して制作する。面フレームが段ボールなので材質強度は、問題ない。ここまでで、面フレームができ、面フレーム接合部品も用意できた。
【００４５】
組立については、図２で説明する。
まずは、面フレーム１枚ずつ実施していく。図２（Ａ）の左手前の面フレーム９ａ下端の支持接合部分を、雪だるま下端にある面フレーム接合部品の取り付け部８ａにセットする。図２（Ｂ）は、その接合部分を拡大したものである。左手前に面フレームの支持接合部分６が、取り付け部８ａに嵌め込まれていて、取り付け部８ａの短い方を支持接合部分６の矢印が示している。ここは、面フレームからみると支持接合部分６であるし、面フレーム接合部品から見ると取り付け部８ａとなる。この時、図（Ｂ）の面フレームの内側２が、ベース部７に対向しているのが分かる。これを、結束バンドで接合する。同様に、面フレーム接合部品で中間４ａ、上端５の部分も接合する。これで、図２（Ａ）の面フレーム９ａは接合が終わり、次に面フレーム９ｂを９ａと同様に接合し、次に面フレーム９ｃも同様に接合する。この時点で面フレーム３枚が接合できたので、雪だるまは転ぶことなく、立てた状態で組み立てを進めることができるようになった。そして、残りの面フレームすべてを接合する。
【００４６】
以上で、図２の雪だるまのフレーム造形物が組みあがる。これが、「一定の造形物と認識できるもの」であり、「一定の造形物が形成されている」、「複数の面フレームが連なった時に、造形物に見える」フレーム造形物である。これに紙を貼るだけで雪だるまになることから、外装の工数も減り、単純化（簡単・短工数・短時間）される。
【００４７】
フレーム造形物の施工時の具体的なメリットについて触れる。
例えば、図２の雪だるまの面フレームをベニヤ板に変え、野外展示場所に固定し、前の部分だけは人が触れるようにしたいとする。この場合には、ベニヤ板の面フレームを固定するので、風などで飛んだり壊れたりすることはないが、紙を貼ってしまうことで面フレームが見えず、人が触れる部分もベニヤ板の面フレームだと、硬すぎてケガが心配となる。
【００４８】
フレーム造形物での解決策は、図２（Ａ）の面フレームは、手前３枚が抜けている。この部分に、柔らかな樹脂板で外側３の厚さを薄くした面フレームを接合し、ベニヤ板の面フレームと組み合わせることで、人が触れる部分だけを柔らかくしながら、風等でも壊れないようにすることができる。そして、雪だるまを実際に設置してみたら、面フレーム３枚では狭く感じた場合には、左右１枚ずつ交換して樹脂板の面フレームを計５枚にして、柔らかい部分を広げることで、更に安全にすることもできる。
【００４９】
別の新たな例として、フレーム造形物の内側を利用したボトルパッケージを説明する。
図２の雪だるまフレーム造形物は、外側の形状で目に映るものの姿・形などの像を作ることであったが、内側の形状に目を向けると、フレームの強度が許す限り自由に変えることができる。図８（Ｃ）において、面フレーム９の内側４３の形状をボトルの形状に変えることで、中枠（緩衝材）として利用できる。この図８（Ａ）は、ボトル外形４７のボトルパッケージとなるフレーム造形物である。これにより、例えばワインボトルなどを保護できるパッケージとして使える。１２枚の面フレーム９の内側４３により、立体的な中枠でボトルを保護し、外側４７の形状によりボトルであることが分かり、面フレームの間からラベルも見え、横置きしても転げ落ちることもない図８（Ｂ）のボトルを収納したボトルパッケージのイメージとなる。この時に使用した面フレーム接合部品１０は、図２の雪だるまの時に使用した８ｍｍの図７の面フレーム接合部品と同じ設計の幅５ｍｍ用を使用している。接合に使用する取り付け部８ａの穴は２つあるが、外側の１個のみを使用する。また、面フレームの材質は段ボールで、厚さは面フレーム接合部品の幅に合わせて５ｍｍとなる。
【００５０】
この面フレーム制作について述べる。図８（Ｃ）の２Ｄ設計図面は、「ボトルの外形」をそのまま面フレームの内側４３の形状としていて、内側４３から外に２０ｍｍの幅で外側４７としてあり、上の上端４４と下の下端４４は、それぞれ高さを３０ｍｍにしてあり、この形状で切り取ると面フレームとなる。ボトルパッケージ下の下端４４は、底に置いた面フレーム接合部品１０の高さが２５ｍｍなので、５ｍｍが面フレームの段ボールによりクッションとなる。これを１２枚作成し、底に置いた面フレーム接合部品１０の取り付け部８ａと面フレーム支持接合部分の穴４６とで接合する。この接合は必ず面フレーム支持接合部分の穴４６の１か所にする。それは、面フレーム上端５０を開いたときに、面フレーム支持接合部分の穴４６の接合を軸にして図（Ａ）の上端５０が開き、そこからボトルの出し入れをするためである。この例では接合に結束バンドを使用し、それを軸にすべての面フレームの上端が開くようにした。図（Ｃ）の面フレームの角丸部分４５は、開きやすくするために、面フレームの角をベース部７に引っかからないように削ったものである。そして、図（Ｂ）において、ボトルを入れて、ボトルパッケージのネックにある窪み４８部分を、スペーサーのついたリボン４９でくくることで、面フレームがずれずに持ち運びできるボトルパッケージとなる。
【００５１】
図８は、一例であり、量産化するときには、面フレーム８枚、面フレーム接合部品の取り付け部分にクリップを取り付けておき、面フレーム支持接合部分の穴をクリップで留めることで接合するなどがあれば、より単純化ができたり、外側の形状を雪だるまなどに工夫しプレゼントに使用したりできる。このようにして作成した図２の雪だるまや、図８のボトルパッケージなどは、作る製品により面フレームや面フレーム接合部品などの形状や数、接合方法などを、用途や使用場所等に合わせてフレーム造形物を組むことになる。
【００５２】
ブロックとして見たフレーム造形物について、説明する。
面フレームを複数枚使用して組んだフレーム造形物は、面フレームと面フレーム接合部品とを接合して１つのブロックが形成されたことにもなる。このような場合には、このブロックを連結したり、ブロックの材長を長くできたりすることで、これらを組み合わせることができるようになる。このために、フレーム造形物の「全長を長くできる特徴」や、連結部品を用いた「フレーム造形物を組み合わせることができることを特徴」が必要となる。
【００５３】
ブロックとしてのフレーム造形物のメリットについて説明する。
フレーム造形物により、目に映るものの姿・形などの像などの造形を作る上では、施工面で大きなメリットがある。従来のフレームは、全体の骨組みをすべて完成、または部分的に完成させてからの外装となるのに比べ、フレーム造形物では、フレーム造形物単位に作ったものを組み上げていくことになる。このことは、クリスマスツリーを例にすれば、入口が狭く搬入できないのであれば、フレーム造形物を組み立てずに、ばらした面フレームで搬入し現地でフレーム造形物を組み立てたり、現地での作業時間が少ないのであれば、1個のフレーム造形物を上中下に分割して事前にフレーム造形物に作りこんで搬入し、現地で連結して組み立てる（積み上げる）だけにしたり、図９の大型のクリスマスツリーでは、五重塔のように、心柱２６を作成し、それを中心として６層に分けたフレーム造形物を積み重ねていくことで巨大なツリーを組み上げることになる。そして、設置場所が狭ければ、心柱２６も含めて、これらを下から順番に組み上げていくこともできるようになる。わかりやすく心柱２６としたが、これもフレーム造形物である。
【００５４】
フレーム造形物の「全長を長くできる特徴」は、面フレームを接ぎ足すことで、長くできるものである。「前記フレーム造形物において、全長は、面フレームの上端と下端の材長により決まる」とは、前記フレーム造形物は、本発明で組まれたフレーム造形物であり、面フレームの下端がそろっていた場合は、複数の面フレームの中で一番長い材長により、フレーム造形物の全長が決まる。材長は、面フレームの上端と下端の最短距離をいうので、このように記載した。
【００５５】
以下、図１０の作成例を含めて説明を進める。図１０の（Ａ）の図は、組み上げ途中のフレーム造形物の全体図であり、点線丸の部分を、（Ｂ）で拡大し、（Ｃ）で俯瞰図を示してある。
【００５６】
「複数の面フレームを上下にずらし」について説明する。
最も長い面フレームの材長３０００ｍｍを全長６０００ｍｍにする例で述べる。図１０（Ａ）の図において、１セット目の面フレームを１５００ｍｍ(面フレーム３１)＋３０００ｍｍ（面フレーム１１）＋１５００ｍｍ（図には未記載）と、２セット目の面フレームを３０００ｍｍ（面フレーム１２）＋３０００ｍｍ（図には未記載）とで全長６０００ｍｍにするためのセットを２つ用意して、図（Ｃ）の俯瞰図の面フレーム３１＋１１には、１セット目を５か所に、面フレーム１２の場所には、２セット目を７か所に置き、フレーム造形物の下端から順番に組み上げていく。具体的な並び順番は、時計に見立てて、縦１組（楕円点線部分）の上の１２時には２セット目を、時計回りで、２セット目、１セット目、２セット目、１セット目、２セット目、２セット目、１セット目、２セット目、１セット目、２セット目、１セット目となる。フレーム造形物の下端は、「１セット目の面フレームの材長１５００ｍｍ(面フレーム３１)」と「２セット目の面フレームの材長３０００ｍｍ（面フレーム１２）」から組み始めていくことになる。このように１セット目と２セット目の面フレームをずらして接いでいくことが、上下にずれていることから記載している。
【００５７】
「ずらした面フレームの上下両端に、面フレーム接合部品を配し接合し」とは、面フレームすべての上端と下端は、面フレーム接合部品で接合されていなければならないことである。これにより、つなぎ目部分の強度を保てるようにした。ただ、材長の異なる面フレームを多用しセット数が多すぎると、そのセット数分の面フレームの上端と下端に面フレーム接合部品を施すことになり、数が増えるだけでなく部品高により面フレーム接合部品が重複して施すことができなくなることもあるので、２から３セットほどが望ましい。図１０（Ｂ）では、フレーム造形物の下端には、面フレーム接合部品（Ｎｏ１）１０ａがセットされ、１セット目と２セット目の面フレームの下端とを接合している。次に、面フレーム３１の上端が面フレーム接合部品（Ｎｏ２）１０ｂと接合され、そこに継がれた面フレーム１１の下端が面フレーム接合部品（Ｎｏ３）１０ｃと接合され、隣の面フレーム１２も接合されていて、そこには継ぎはない。このように、面フレームの上端と下端には、面フレーム接合部品を配している。
【００５８】
「必要な長さになるまで繰り返すことで」とは、先のフレームの全長を６０００ｍｍにする例を、初めから順番に説明する。１セット目を５組、２セット目を７組用意し、計１２組を、図（Ｃ）の並びで、下記（１）から（６）の手順でおこなう。イメージは、図１１を参照、４０ａから順番に４０ｍまでとなる。
【００５９】
（１）１セット目の１５００ｍｍと２セット目の３０００ｍｍの面フレーム４０ａと４０ｂとをセットして、下端４０ｃと、面フレーム接合部品（Ｎｏ１）１０ａとで接合、そして、１セット目の１５００ｍｍの面フレームの上端４０ｄと、面フレーム接合部品（Ｎｏ２）１０ｂとで接合し、
【００６０】
（２）１セット目の３０００ｍｍの面フレーム４０ｅを１セット目の１５００ｍｍに接ぎ、接いだ３０００ｍｍの面フレームの下端４０ｆと、面フレーム接合部品（Ｎｏ３）１０ｃとを接合し、
【００６１】
（３）２セット目の最初の３０００ｍｍの上端４０ｇと、面フレーム接合部品（Ｎｏ４）１０ｄとで接合し、２セット目の二番目の３０００ｍｍの面フレーム４０ｈを２セット目の一番目の３０００ｍｍに接ぎ、接いだ３０００ｍｍの面フレーム下端４０ｉと、面フレーム接合部品（Ｎｏ５）１０ｅとで接合し、
【００６２】
（４）１セット目の３０００ｍｍの面フレームの上端４０ｊと、面フレーム接合部品（Ｎｏ６）１０ｆとで接合し、
【００６３】
（５）１セット目の三番目の１５００ｍｍの面フレーム４０ｋを１セット目の３０００ｍｍに接ぎ、接いだ１５００ｍｍの面フレームの下端４０ｌと、面フレーム接合部品（Ｎｏ７）１０ｇとで接合し、
【００６４】
（６）最後に両方のセットの上端４０ｍと面フレーム接合部品（Ｎｏ８）１０ｈとで接合して完成となる。
【００６５】
面フレーム接合部品と面フレームとの接合は、上端・下端にかかわりなく面フレームの途中であってもすべての面フレーム１２枚すべてを接合する。この場合には、最低８個の面フレーム接合部品を使用することになる。最低としたのは、フレームの強度が必要になる場合には、その中間にも面フレーム接合部品を入れるからである。また、接合の状態は図では分からないが、ボルト・ナットで接合したとする。
【００６６】
接ぎについて述べると、図１０（Ｃ）の俯瞰図で面フレーム３１＋１１の１セット目と、面フレーム１２で示された２セット目が、向かい合わせどうし同じつなぎ目にならないように、配置を分散している。ただ、縦１組（楕円点線部分）だけ「同じつなぎ目」になっているので、これも、もう１セット増やして、３セットでつなぐと、強度はさらに強くなるが、使用される面フレーム接合部品もさらに増えることになったり、集成材には１２ｍもの長さのものがあり、それらによる回避策があったりするが、接ぎによる説明の意図が不明瞭になるので割愛する。
【００６７】
このフレーム造形物に使用している面フレーム接合部品について説明する。
図１０で使用している面フレーム接合部品は、図１２の面フレーム接合部品を使用している。これだけでなく、造形物の造形に必要な強度が確保され、用途に合っていれば、図７の面フレーム接合部品や他のものでもかまわない。
【００６８】
連結部品は、フレーム造形物を連結するものである。「フレーム造形物の上端、下端、もしくは両端に、連結部品を取り付け:」とは、連結部品を取り付ける場所は、フレーム造形物の上端もしくは下端に取り付けることになる。単純にこのフレーム造形物の構造上ここしかない。
【００６９】
「連結部品どうしを連結させることで」と合わせて、組み上がった円柱状のフレーム造形物１３ａと１３ｂの２つを、連結部品で上下に連結したものの例を図１３に示し説明する。図１３では、全体図を連結例１３で図（Ａ）に示し、その連結された部分１４（点線丸で囲った部分）を図（Ｂ）に拡大し、使用されている連結部品を図（Ｃ）に抜き出した。連結部品には、フレーム造形物の上端に被せる連結部品上端用１９と、フレーム造形物の下端に被せる連結部品下端用２０とがある。
【００７０】
連結された部分１４について説明する。
「下のフレーム造形物１３ａ」に、連結部品上端用１９の被せる部分１６をフレーム造形物の上端に被せ、その上には「連結用の雌（凹）の部分１５」が設けられている。また、「上のフレーム造形物１３ｂ」に、連結部品下端用２０の被せる部分１８をフレーム造形物の下端に被せ、その下には「連結用の雌（凸）の部分１７」が設けられている。連結部品上端用１９の「雌（凹）の部分１５」に、連結部品下端用２０の「雌（凸）の部分１７」を差し込むことで、２つのフレームが連結されている。
【００７１】
フレーム造形物と連結部品との嵌合（がんごう）と接合について説明する。
連結部品の被せる部分１６もしくは１８と、フレーム造形物とを嵌合させるか、接合して固定するかは用途による。このフレーム造形物の上端もしくは下端と、連結部品の被せる部分１６もしくは１８とは、１２方向に接合された面フレームを噛む形状のため、嵌合すれば横には外れない形状となっている。そのため、組み立て・分解を頻繁に行う場合には、強度的に問題なければ、嵌合させるだけでもよい。また、吊り下げるなどの場合には、接合させ固定する必要があり、その時には連結部分も抜けないように工夫する必要がある。このように、フレーム造形物を組み合わせて使用する用途によって決まってくる。
【００７２】
連結部品の扱いについて説明する。
フレーム造形物では、フレーム造形物単位（ブロック）を組み合わせることになり、従来の建築に見られるような軸組みなどのように定まった組み方はできない。複雑な造形になれば、さまざまな連結が想定される。そのため、図１３では、連結部品を単独で使用しているが、面フレーム接合部品と兼用になる場合もある。
【００７３】
このフレーム造形物１３ａと１３ｂに使用している面フレーム接合部品について説明する。
図１３の円柱状のフレーム造形物２つは、取り付け部しか見えていないが、図１２の面フレーム接合部品を使用している。これだけでなく、造形物の造形に必要な強度が確保され、用途に合っていれば、図７の面フレーム接合部品や他のものでもかまわない。
【００７４】
以上、「全長を長くできる特徴」と、「フレーム造形物を組み合わせることができることを特徴」について、説明を終わり、「ブロックとしてのフレーム造形物」について、以降の実施例で説明する。これは、クリスマスツリーを縦６層に分けたフレーム構造物を使用し、連結部品により積み上げて、これを、全長を長くしたフレーム造形物の心柱２６により縦６層のズレを防ぐための通柱に組み上げて、心柱２６の自重で縦６層を抑えて大型の造形物とした例になる。
【００７５】
本発明において、特に指定しない限り、用語の定義および技術的意味は、次による。
【００７６】
＜フレームと面フレームについて＞
フレームとは、骨組みや構造体のことであり、本発明で形成されるフレームは、「フレーム造形物」とし、いままでのフレームを「従来のフレーム」として区分けする。一番の違いは、「フレームが組まれた時点で、面フレームの形状により、一定の造形物と認識できる」ことである。そのために、フレーム造形物は、複数の面フレームと面フレーム接合部品とで構成され、それらを接合することでフレーム造形物にして目的を達成する。
【００７７】
＜接合について＞
接合とは、「面フレーム」と、「面フレームを支持するための面フレーム接合部品」とを接合することであり、これによりフレーム造形物となる。具体的には、「面フレーム接合部品の取り付け部」と、「面フレームの支持接合部分」とを接合する。接合で使うものは、材質や用途に合わせて両面テープや接着剤、もしくはクリップ、結束バンド、ボルト・ナットなどの様々な材料や部品で接合することになり、面フレームの取り付けがしやすく外れにくい専用の接合クリップなどを使用することもある。
【００７８】
＜面フレーム接合部品＞
面フレーム接合部品は、面フレームを支持し、その面フレームとを接合することにより、１個のフレーム造形物として機能させる部品であり、まさにフレーム造形物の要である。これにより、単純化ができるとも言える部品である。ここでいう単純化とは、簡単に、短工数で、短時間で制作できることをいっている。
【００７９】
＜支持接合部分について＞
支持接合部分とは、面フレームの部分名称で、面フレーム接合部品の取り付け部を接合する、面フレームの内側の部分をいう。図３と図４の支持接合部分６に示す。
【００８０】
＜ベース部について＞
ベース部とは、面フレーム接合部品の中心に位置し、このベース部の外周に取り付け部を設けるために必要な基礎部品である。フレームの主要要件に、「面フレームの内側が面フレーム接合部品のベース部に対向されて配置されなければならない」となっており、この面フレームを配置するのは、取り付け部の役割であり、ベース部がなければ、取り付け部を設けることができない。
【００８１】
＜厚さのある外側・内側・上端・下端・支持接合部分について＞
図３に板状の例として、面１、内側２、外側３、下端４、上端５、支持接合部分６を示し、図４では丸い形状を例に示してある。挟み込む取り付け部での接合の場合では、面フレームの支持接合部分６の厚さと、面フレーム接合部品の取り付け部分８の幅が合えばよい。しかし、フレーム造形物としての強度でみると、それぞれの面フレームには、適度な厚さが必要であることから、「外側・内側・上端・下端・支持接合部分」の部分ごとに必要な特性により、板状であったり、部分によって厚さが変わったりする。
【００８２】
＜面について＞
面とは、面フレームの部分であり、図３や図４の面1をいい、特に図５などの雪だるまのように外側３の形状に沿って内側２も切り取った形状の場合には、面フレームの形状を表すだけでなく、面フレームの強度も決める。また、面フレームを切り出す場合、雪だるまでは前後左右対称になっているが、人形などの造形の場合には、外形に沿って面を切り出すので、そのようにならない場合が多い。例えば、菩提達磨（ぼだいだるま）などのように、大きなおなかで、座った人形などを想像すると分かりやすい。また、フレーム造形物に必要な特性によっては、面フレームのそれぞれの部分の厚さが変わり平面にならない場合もある。
【００８３】
＜材長と全長について＞
図３の板状を例に説明すると、一般的には、下端４、上端５で示す両小口面を結ぶ最短直線の長さを材長といい、材長２３に示す。面フレームとしては、下端と上端の最短距離を材長とする。そして、フレーム造形物の下端と上端の最短距離を全長とする。フレーム造形物の全長を長くできる機能を適用した場合には、材長と全長の長さが異なる。
【００８４】
以上用語の定義および技術的意味を終わる。
【実施例】
【００８５】
大型のクリスマスツリー図９について実施例を示す。６個のフレーム造形物を積み上げることで、幅４２４０ｍｍ高さ６１００ｍｍ程のクリスマスツリーとなる。１個のフレーム造形物は、面フレーム１２枚で組まれる。面フレーム接合部品は、ベース部に直径５６０ｍｍの円筒のものを使用し、一番下の１段目から６段目までのフレーム造形物を組む。この面フレーム接合部品は、連結部品と兼用のもので、フレーム造形物を組みながら、上下のフレーム造形物とを連結できるものである。このベース部のおかげで、このクリスマスツリーには、直径５６０ｍｍのスペースが円柱状に、１段目から６段目まで空いている。このスペースに、心柱２６を通して、クリスマスツリーの６段目のフレーム造形物頂点から吊り下げることで、心柱２６の重さで６段目から１段目までを抑え、通柱になっていることで突発的な横へのずれによる脱落を防ぐ。そして、４段目の下端までは、直径１５６０ｍｍの連結部品上端用３２と連結部品下端用３３を併用して連結し、クリスマスツリーの中間から下部の連結を強化する。
【００８６】
板を切断して面フレームを制作することについて説明する。
面フレームは、縦９１０ｍｍ×横１８２０ｍｍ×厚さ１２ｍｍの板を切断して制作することにし、図９（Ｅ）の切断例では、横長の板３枚を縦に並べて、一番上の横の辺１／２の位置から、一番下の辺の右端の隅へ斜線を引き、それにしたがって切断することで、無駄なく面フレームを作ることができる。一番下の板から、１段目の面フレーム３０ａと６段目の面フレーム３０ｆ、２枚目の板から、２段目の面フレーム３０ｂと５段目の面フレーム３０ｅ、一番上の板から、３段目の面フレーム３０ｃと４段目の面フレーム３９ｄが作成できる。斜線で切断した部分が面フレームの外側になり、反対側の縦の直線で図（Ｅ）の点線四角で示している辺の部分が内側２になり、台形の下底及び直角三角形の対辺が面フレームの下端となる。これを、フレーム造形物にして積み上げると、図９（Ａ）の左側、１段目の３０ａから６段目の３０ｆまでとなり、１段目から６段目の全景が直角三角形の斜辺を外側にしたクリスマスツリーの外形となる。各フレーム造形物で１２枚の面フレームを使用するので、板３６枚ですべての面フレームが作成できる。
【００８７】
２段目のフレーム造形物を例に説明する。
図９（Ａ）の２段目のフレーム造形物３７を抜き出したのが、図１４（Ａ）となる。これは、連結部品兼用の面フレーム接合部品２７と専用の連結部品３２と３３と、面フレーム１２枚とで組んだフレーム造形物を示している。内側の下端４と中間４ａと上端５の場所に３個の連結部品兼用の面フレーム接合部品２７と、１２枚の面フレームとでフレーム造形物とし、下端に連結部品下端用３３を取り付け、上端に連結部品上端用３２を取り付けたものである。
【００８８】
この連結部品兼用の面フレーム接合部品２７は、面フレーム接合部品の上に直接、１２角で高さ１０ｍｍの雄（凸）の部分２８を取り付け、下にも直接、１２角で高さ１０ｍｍの雌（凹）の部分２９を組み込んである。この面フレーム接合部品を、図１４（Ｂ）に拡大している。また、ベース部７は、直径５６０ｍｍ、高さ９０ｍｍの円筒状で、取り付け部は、幅１２ｍｍの取り付け部２７ｃで、一方の取り付け部２７ａの長さ２００ｍｍで、もう一方の短くした取り付け部２７ｂの長さ５０ｍｍの形状で、面フレームの支持接合部分を支持できるものである。片方を短くした理由は、接合作業用スペースを確保するよりは面フレームが大きいため組み込み作業のしやすさを確保するためである。
【００８９】
連結部品兼用の面フレーム接合部品２７の取り付けについて、面フレーム上端５への取り付けは、部品上部の連結部品の１２角で高さ１０ｍｍの雄（凸）の部分２８だけが、面フレーム上端から１０ｍｍ出たようにし接合する。面フレーム下端への取り付けは、接合部品下部が１０ｍｍ下に出るように接合する。これでフレーム造形物の間は１０ｍｍ空くことになる。これにより、面フレーム上端に取り付けられた面フレーム接合部品の１２角の雄（凸）の部分２８と、「上の段」の面フレーム接合部品の１２角の雌（凹）の部分２９が、嵌合して連結される。「下の段」の１２角の雄（凸）の部分２８とも同様に嵌合される。
【００９０】
そして、図１４（Ｃ）の面フレーム下端へ取り付ける連結部品下端用３３は、ベース部７は、直径１５６０ｍｍ、高さ９０ｍｍの円筒状で、取り付け部は、幅１２ｍｍの取り付け部３３ｃで、一方の取り付け部３３ａの長さ２２０ｍｍで、もう一方の短くした取り付け部３３ｂの長さ１４５ｍｍの形状で、この取り付け部に面フレーム下端を差し入れて結合する。
【００９１】
また、図１４（Ｃ）の面フレーム上端へ取り付ける連結部品上端用３２は、ベース部７は、直径１５６０ｍｍ、高さ９０ｍｍの円筒状で、取り付け部は、幅１２ｍｍの取り付け部３２ｃで、一方の取り付け部３２ａの長さ２００ｍｍで、もう一方の短くした取り付け部３２ｂの長さ１００ｍｍの形状で、この取り付け部を面フレーム上端に差し入れて接合する。
【００９２】
ここまで、２段目のフレーム造形物について説明したが、大まかな制作の組み立て順は、（１）連結部品下端用３３と連結部品兼用の面フレーム接合部品２７を置き、（２）面フレームを差し込み、連結部品は面フレーム下端４で接合し、連結部品兼用の面フレーム接合部品２７の取り付け部と面フレーム下端４の支持接合部分とで接合し、（３）連結部品兼用の面フレーム接合部品２７の取り付け部と面フレーム中間４ａの支持接合部分とで接合し（４）連結部品上端用３２を面フレーム上端５に被せ接合し、連結部品兼用の面フレーム接合部品２７の取り付け部と面フレーム上端５の支持接合部分とで接合することになる。
【００９３】
全体の組み立てでは、１段目の面フレーム下端は、外側と「外側と内側との中間」の２個所を床に直接接合し、連結部品兼用の面フレーム接合部品２７の取り付け部と面フレームの支持接合部分とで接合する。１段目の中間と上端は、２段目と同じく接合することになる。３段目も２段目と同じく組み立て、４段目は、２段目と同じくなるが、上端には、連結部品上端用３２を使用しない。５段目は、面フレーム下端の支持接合部分と連結部品兼用の面フレーム接合部品２７の取り付け部とを接合するときに、部品下部を１０ｍｍ下げずに、面フレーム下端と同じ高さで接合する。４段目までは、専用の連結部品３２と３３があったことから接合部分が２個所となり安定しているが、ここからは１個所で面フレームを接合していくため、フレーム造形物間の１０ｍｍのスペースは開けない。面フレーム下端への連結部品兼用の面フレーム接合部品２７は、下端と同じ高さで、面フレーム上端では、連結部品兼用の面フレーム接合部品２７は面フレーム上端から１０ｍｍ出し、４段目上端と５段目下端、５段目上端と６段目下端とを連結する。
【００９４】
まとめると、連結は、４段目のフレーム下端までは、連結部品兼用の面フレーム接合部品２７と専用の連結部品３２と３３とで連結し、４段目の面フレーム上端からは、連結部品兼用の面フレーム接合部品２７単独で連結される。すべての連結は、嵌合にするので、連結部品どうし、連結部品兼用の面フレーム接合部品どうしは、ネジやボルト等で留めることなく、１２角で嵌め込むだけとなる。接合されるのは、各面フレーム支持接合部分と連結部品兼用の面フレーム接合部品２７の取り付け部、面フレーム上端と連結部品上端用３２、面フレーム下端と連結部品下端用３３、そして１段目の面フレームの下端（外側と「外側と内側との中間」）と床となる。
【００９５】
位置関係については、連結部品兼用の面フレーム接合部品２７、連結部品３２と３３、そしてフレーム造形物の３種類の中心は、いずれも、連結部品兼用の面フレーム接合部品２７のベース部の中心と同じになる。
【００９６】
心柱２６の利用について説明する。
６段目のフレーム造形物頂点から心柱２６を吊り下げるために、心柱２６には、図９（Ｄ）の連結部品上端用１９の被せる部分１６を心柱２６のフレーム造形物の上端に被せ接合し、その連結用の部分１５ｂは、建築金物の羽子板状の穴のある板状になっている。そして、クリスマスツリー頂点となっている６段目のフレームには「連結部品を被せる部分がない」ことにより、図９（Ｂ）の連結部品兼用の面フレーム接合部品２７に連結用の部分１５ａの吊り下げ用の部品を取り付けた。これを連結部品兼用の面フレーム接合部品（１５ａ＋２７）と表す。そして、連結用の部分１５ｂの穴に１５ａの横棒を差し入れて心柱２６を吊り下げたものが図９（Ａ）の上部（点線四角）であり、その部分を拡大した図（Ｃ）である。
【００９７】
施工例について説明する。
施工場所の状況は、施設場所への入口が狭くて組まれたフレームでは搬入できなく、屋内の作業スペースも狭いので、すべて組み立てずに面フレームで搬入し、６段あるフレーム造形物と心柱２６を下から順番に組み立てざるをえない場所である。
【００９８】
施工要件は、材長５４６０ｍｍ、直径３７０ｍｍの心柱２６を１本作り、図１４の面フレーム接合部品２７は、ベース部に直径５６０ｍｍの円筒のものを使用しており、このベース部の中心のスペースに、心柱２６を立て、１段目から６段目までフレームを積み上げていくことで、屋内での大型のクリスマスツリー組み立てを可能にする。この心柱２６は、３０ｍｍ×１２０ｍｍ×３０００ｍｍの軸材を面フレームとして組んだフレーム造形物である。心柱２６の面フレームについて、１セット目は、３０００ｍｍ＋２４６０ｍｍと、２セット目は、１５００ｍｍ＋３０００ｍｍ＋９６０ｍｍとで互い違いに接いで５４６０ｍｍの材長のフレームとする。そして、１段目から６段目までのフレーム造形物を組みながら、心柱２６も同時に組んでいく。
【００９９】
作業手順は、以下（１）から（１２）となる。
【０１００】
（１） １段目のフレーム造形物を作り、
【０１０１】
（２）１段目上端に連結部品３２を取り付け、
【０１０２】
（３）心柱２６の下部を組んで一番下のフレーム造形物のベース部のスペースに差し込み（１５００ｍｍと３０００ｍｍの軸材で組まれた心柱）、その時に５段目までに使用する連結部品兼用の面フレーム接合部品２７と連結部品３２と３３をあらかじめ心柱に通しておく、
【０１０３】
（４）心柱を組み立て（１セット目１５００ｍｍ＋３０００ｍｍと２セット目３０００ｍｍ）、
【０１０４】
（５）１段目のフレームの上で、２段目下端の連結部品３３を嵌合させて、２段目の面フレームを組み、
【０１０５】
（６）２段目上端に連結部品３２を取り付け、３段目下端の連結部品３３を嵌合させて、３段目の面フレームを組み、
【０１０６】
（７）心柱を組み立てる（１セット目１５００ｍｍ＋３０００ｍｍと２セット目３０００ｍｍ＋２４６０ｍｍ）、
【０１０７】
（８）３段目上端に連結部品３２を取り付け、４段目下端の３３を嵌合させて、４段目の面フレームを組み、
【０１０８】
（９）心柱を完成させる（１セット目１５００ｍｍ＋３０００ｍｍ＋９６０ｍｍと２セット目３０００ｍｍ＋２４６０ｍｍ）、
【０１０９】
（１０）５段目の面フレームを組み、
【０１１０】
（１１）心柱２６に、連結部品上端用１９の被せる部分１６を接合して、６段目の面フレームを組み
【０１１１】
（１２）６段目の最後に連結部品兼用の面フレーム接合部品（１５ａ＋２７）を接合し、その連結部品兼用の面フレーム接合部品の連結用の部分１５ａと連結部品上端用１９の連結用の部分１５ｂとを連結することで心柱２６を吊り下げて完成する。以上実施例
【産業上の利用可能性】
【０１１２】
フレーム造形物にすることで、多様な造形物の施工が可能になるので、市街地や敷地内の景観を豊かにできる。
【０１１３】
今までＦＲＰなどでキャラクター制作していたものについては、フレーム造形物でフレームを作り、薄いプラスチックを被せることで同じものが制作できる。コスト削減につながり、不要になった時には、フレームを解体し、薄いプラスチックを処理することで収納も改善される。
【０１１４】
ＤＩＹの新たなジャンルを起こすことができ、制作したものも収納しやすい。また、多様なキット製品の販売が可能になり、模型であろうが、家具であろうが、組み立て方法は、共通しているので、売る側も買う側も、組立説明書の制作や精読が軽減され、労力軽減となる。また、サポートスタッフのノウハウも商品ジャンルを超えて共有できる。
【０１１５】
今まで造形物を置きたくてもできなかった建物内や、諦めていた大型造形物などを施工できる。
【０１１６】
資材を利用するにあたっては、単材料の利用しかなかったが、面フレームを混在させたフレームを組むことで、新たな活用が可能になる。特に、従来のフレームの特性は一様であったが、フレーム造形物のフレームは、前が柔らかく、後ろが固いフレームなど部分的に特性を変えることができるので、様々な要件に対して、構造面と安全面とで対処できる。
【０１１７】
試作から制作までの工程が共用できるので、新たな製造手法が確立できる。
【０１１８】
廉価なラベルの見えるボトルパッケージなどのように、フレームの内側の形状を積極的に利用した緩衝枠や棚などで利用できるようになる。
【符号の説明】
【０１１９】
１：面フレームの面
２：面フレームの内側（面フレーム内側）
３：面フレームの外側（面フレーム外側）
４：面フレームの下端（面フレーム下端）
４ａ：面フレームの中間（面フレーム中間）
５：面フレームの上端（面フレーム上端）
６：面フレームの支持接合部分（面フレーム支持接合部分）
７：面フレーム接合部品のベース部
８：面フレーム接合部品の取り付け部
８ａ：面フレーム接合部品の取り付け部  取り付け部の片方を短くした形状
９：面フレーム
９ａ：図２の面フレームの組み立て順番  １番目
９ｂ：図２の面フレームの組み立て順番  ２番目
９ｃ：図２の面フレームの組み立て順番  ３番目
１０：面フレーム接合部品
１０ａ：面フレーム接合部品Ｎｏ１
１０ｂ：面フレーム接合部品Ｎｏ２
１０ｃ：面フレーム接合部品Ｎｏ３
１０ｄ：面フレーム接合部品Ｎｏ４
１０ｅ：面フレーム接合部品Ｎｏ５
１０ｆ：面フレーム接合部品Ｎｏ６
１０ｇ：面フレーム接合部品Ｎｏ７
１０ｈ：面フレーム接合部品Ｎｏ８
１１：全長を長くできる機能の利用例  １セット目の面フレーム
１２：全長を長くできる機能の利用例  ２セット目の面フレーム
１３：２つのフレーム造形物の連結例全体図
１３ａ：連結例の下のフレーム造形物
１３ｂ：連結例の上のフレーム造形物
１４：連結した部分の拡大図
１５：連結部品上端用の連結用部分  雌（凹）
１５ａ：連結部品上端用の連結用部分  心柱２６吊り下げ用（フレーム側）
１５ｂ：連結部品上端用の連結用部分  心柱２６吊り下げ用（心柱側）
１６：連結部品上端用の面フレーム上端に被せる部分
１７：連結部品下端用の連結用部分  雄（凸）
１８：連結部品下端用の面フレーム下端に被せる部分
１９：連結部品上端用（円柱状用）
２０：連結部品下端用（円柱状用）
２１：板の短辺
２２：板の長辺
２３：板の材長（板の両小口面を結ぶ最短直線の長さ、もしくは面フレーム上端と下端の長さ）
２４：面フレーム接合部品のベース部が入るスペース
２５：３Ｄ造形の外側（面フレームの外側）
２６：大型のクリスマスツリーの心柱（通柱）
２７：連結部品兼用の面フレーム接合部品（上に１２角の雄（凸）の部分２８、下に雌（凹）の部分２９）
２７ａ：連結部品兼用の面フレーム接合部品の取り付け部分（長い方）
２７ｂ：連結部品兼用の面フレーム接合部品の取り付け部分（短い方）
２７ｃ：連結部品兼用の面フレーム接合部品の取り付け部分の幅
２８：面フレーム接合部品に付けた連結部品の連結用部分  雄（凸）（上の段の下端に嵌合）
２９：面フレーム接合部品に付けた連結部品の連結用部分  雌（凹）（下の段の上端に嵌合）
３０ａ：クリスマスツリー１段目用の面フレーム
３０ｂ：クリスマスツリー２段目用の面フレーム
３０ｃ：クリスマスツリー３段目用の面フレーム
３０ｄ：クリスマスツリー４段目用の面フレーム
３０ｅ：クリスマスツリー５段目用の面フレーム
３０ｆ：クリスマスツリー６段目用の面フレーム
３１：全長を長くできる機能の利用例  １セット目の初段面フレーム
３２：連結部品上端用
３２ａ：連結部品上端用の取り付け部分（長い方）
３２ｂ：連結部品上端用の取り付け部分（短い方）
３２ｃ：連結部品上端用の取り付け部分の幅
３３：連結部品下端用
３３ａ：連結部品下端用の取り付け部分（長い方）
３３ｂ：連結部品下端用の取り付け部分（短い方）
３３ｃ：連結部品下端用の取り付け部分の幅
３５：連結部品下端用３３の連結部分の１２角の雌（凹）の部分
３６：連結部品上端用３２の連結部分の１２角の雄（凸）の部分
３７：大型クリスマスツリーの２段目のフレーム
４０：６０００ｍｍのフレームの組み立て順番  ４０ａから順番に４０ｍまで
４３：ボトルの外形より作成した面フレームの内側
４４：面フレーム上端と下端の３０ｍｍの幅
４５：角丸部分：面フレームの上端を開くときに、この部分が面フレーム接合部品のベース部に引っかからないように削った部分
４６：面フレーム接合部品の取り付け部と接合するための穴（１か所で接合することで、面フレーム上端を外に開くことができる）
４７：面フレームの外側、内側より２０ｍｍ幅を持たせた
４８：スペーサーのついたリボン４９でくくるための窪み部分
４９：面フレーム９をくくるためのスペーサー付きリボン
５０：支持接合部分を軸にして開いた面フレームの上端
【図１】
2019158139.tif 000003
【図２】
2019158139.tif 000004
【図３】
2019158139.tif 000005
【図４】
2019158139.tif 000006
【図５】
2019158139.tif 000007
【図６】
2019158139.tif 000008
【図７】
2019158139.tif 000009
【図８】
2019158139.tif 000010
【図９】
2019158139.tif 000011
【図１０】
2019158139.tif 000012
【図１１】
2019158139.tif 000013
【図１２】
2019158139.tif 000014
【図１３】
2019158139.tif 000015
【図１４】
2019158139.tif 000016